(57)【要約】      （修正有）【課題】複数のポケットを有するカードケースの複数を全体として安定して固定できるカードホルダーを提供する。【解決手段】カードケース１ａ、１ｂ、１ｃ、スライダーポーチ２、カバー部３の折り曲げ部において、共通する位置に穴１２ａ、１２ｂ、２２ａ、２２ｂ、３２ａ、３２ｂと溝部１１ａ、１１ｂ、２１ａ、２１ｂ、３１ａ、３１ｂを形成し、その穴１２ａ、１２ｂ、２２ａ、２２ｂ、３２ａ、３２ｂにゴム製の紐部４をループにしながら挿入して溝部１１ａ、１１ｂ、２１ａ、２１ｂ、３１ａ、３１ｂに引っ掛けて裏面でループを通して固定する構成としているので、折り曲げ部の中心付近だけでなく、溝部１１ａ、１１ｂ、２１ａ、２１ｂ、３１ａ、３１ｂのある両端でも固定され、折り曲げ部全体がしっかり固定されるカードホルダーである。【選択図】図３
0003212750.tif 000002
【実用新案登録請求の範囲】
【請求項１】
カードを収納するポケットを複数備えるカードケースと、前記カードケースを覆うカバー部と、前記カードケースと前記カバー部を固定する紐部とを有するカードホルダーであって、
前記カードケースは、折り曲げ可能な第１の折り曲げ部を備え、当該第１の折り曲げ部に沿って第１の穴が形成されると共に、前記第１の折り曲げ部の端部には第１の溝部が形成され、
前記カバー部は、折り曲げ可能な第２の折り曲げ部を備え、当該第２の折り曲げ部に沿って第２の穴が形成されると共に、前記第２の折り曲げ部の端部には第２の溝部が形成され、
前記第１の穴と前記第２の穴が、前記カードケースを前記カバー部にセットした場合に重なる位置に設けられ、
前記紐部は、前記第１の穴及び前記第２の穴を貫通するループを形成するよう通されて、前記第１の溝及び前記第２の溝にかけられて前記ループ内を通されて固定されることを特徴とするカードホルダー。
【請求項２】
カードケースを複数備え、重ねて使用されることを特徴とする請求項１記載のカードホルダー。
【請求項３】
折り曲げ可能な第３の折り曲げ部を備え、当該第３の折り曲げ部に沿って第３の穴が形成されると共に、前記第３の折り曲げ部の端部には第３の溝部が形成され、前記第３の折り曲げ部で折り曲げられた少なくとも一方が収納部となるポーチを備え、
第１の穴及び第２の穴と前記第３の穴が、前記ポーチをカードケースと共にカバー部にセットした場合に重なる位置に設けられ、
前記紐部は、前記第１の穴、前記第２の穴及び前記第３の穴を貫通するループを形成するよう通されて、第１の溝、第２の溝及び前記第３の溝にかけられて前記ループ内を通されて固定されていることを特徴とする請求項１又は２記載のカードホルダー。
【請求項４】
紐部の端部側に移動可能な係止部を設けたことを特徴とする請求項１乃至３のいずれか記載のカードホルダー。
【請求項５】
カバー部は、第２の折り曲げ部に隣接する一方の面に別の折り曲げ部が形成され、当該別の折り曲げ部に隣接して折り返し部が形成され、閉じた状態で、前記第２の折り曲げ部に隣接する他方の面に前記折返し部が折り返して固定されることを特徴とする請求項１乃至４のいずれか記載のカードホルダー。
【請求項６】
カバー部は、第２の折り曲げ部を除いた辺にファスナー部を備え、
前記カバー部を閉じた状態で、前記ファスナー部が開閉可能に動作することを特徴とする請求項１乃至４のいずれか記載のカードホルダー。
【考案の詳細な説明】
【技術分野】
【０００１】
本考案は、カードホルダーに係り、特に、複数のカードポケットを有するカードケースを任意の数安定して綴じることができるカードホルダーに関する。
【背景技術】
【０００２】
［先行技術の説明］
従来のカードホルダーは、カードポケットを複数部綴じて固定したものがある。
また、従来のカードホルダーには、複数のカードポケットを紐で綴じるものもあった。
【０００３】
［関連技術］
尚、関連する先行技術としては、特開２００２−３７２９１２号公報「カードホルダー」（特許文献１）、実用新案登録第３１２６１３３号公報「カードホルダー」（特許文献２）、実開昭６２−１１６８８３号公報「タテ、ヨコ、スイッチ式カードホルダー台紙」（特許文献３）、実開平０７−０２０８４３号公報「多目的カードホルダー」（特許文献４）、実公平０３−０５７１３９号公報「カード入れ」（特許文献５）がある。
【０００４】
特許文献１〜３には、カードホルダーに穴を形成し、紐で綴じる構成が記載されている。
特許文献４，５には、カードホルダーの折り曲げ箇所に穴を形成し、複数のカードホルダーを折り曲げた状態で、紐で綴じる構成が記載されている。
【先行技術文献】
【特許文献】
【０００５】
【特許文献１】特開２００２−３７２９１２号公報
【特許文献２】実用新案登録第３１２６１３３号公報
【特許文献３】実開昭６２−１１６８８３号公報
【特許文献４】実開平０７−０２０８４３号公報
【特許文献５】実公平０３−０５７１３９号公報
【考案の概要】
【考案が解決しようとする課題】
【０００６】
しかしながら、従来のカードホルダーは、穴に紐を通して綴じる構成ではあるが、カードホルダー全体を安定して固定できるものとはなっていないという問題点があった。
具体的には、穴が形成された箇所に紐を通しただけでは、その部分は固定されるものの、カードホルダーの上下の端部ではずれが生じる場合があった。
【０００７】
尚、特許文献１〜５には、穴の部分だけでなく、カードホルダー全体をずれないように固定する構成は記載されていない。
【０００８】
本考案は上記実状に鑑みて為されたもので、複数のポケットを有するカードケースの複数を全体として安定して固定できるカードホルダーを提供することを目的とする。
【課題を解決するための手段】
【０００９】
上記従来例の問題点を解決するための本考案は、カードを収納するポケットを複数備えるカードケースと、カードケースを覆うカバー部と、カードケースとカバー部を固定する紐部とを有するカードホルダーであって、カードケースが、折り曲げ可能な第１の折り曲げ部を備え、当該第１の折り曲げ部に沿って第１の穴が形成されると共に、第１の折り曲げ部の端部には第１の溝部が形成され、カバー部が、折り曲げ可能な第２の折り曲げ部を備え、当該第２の折り曲げ部に沿って第２の穴が形成されると共に、第２の折り曲げ部の端部には第２の溝部が形成され、第１の穴と第２の穴が、カードケースをカバー部にセットした場合に重なる位置に設けられ、紐部が、第１の穴及び第２の穴を貫通するループを形成するよう通されて、第１の溝及び第２の溝にかけられてループ内を通されて固定されることを特徴とする。
【００１０】
また、本考案は、上記カードホルダーにおいて、カードケースを複数備え、重ねて使用されることを特徴とする。
【００１１】
また、本考案は、上記カードホルダーにおいて、折り曲げ可能な第３の折り曲げ部を備え、当該第３の折り曲げ部に沿って第３の穴が形成されると共に、第３の折り曲げ部の端部には第３の溝部が形成され、第３の折り曲げ部で折り曲げられた少なくとも一方が収納部となるポーチを備え、第１の穴及び第２の穴と第３の穴が、ポーチをカードケースと共にカバー部にセットした場合に重なる位置に設けられ、紐部が、第１の穴、第２の穴及び第３の穴を貫通するループを形成するよう通されて、第１の溝、第２の溝及び第３の溝にかけられてループ内を通されて固定されていることを特徴とする。
【００１２】
また、本考案は、上記カードホルダーにおいて、紐部の端部側に移動可能な係止部を設けたことを特徴とする。
【００１３】
また、本考案は、上記カードホルダーにおいて、カバー部が、第２の折り曲げ部に隣接する一方の面に別の折り曲げ部が形成され、当該別の折り曲げ部に隣接して折り返し部が形成され、閉じた状態で、第２の折り曲げ部に隣接する他方の面に折返し部が折り返して固定されることを特徴とする。
【００１４】
また、本考案は、上記カードホルダーにおいて、カバー部が、第２の折り曲げ部を除いた辺にファスナー部を備え、カバー部を閉じた状態で、ファスナー部が開閉可能に動作することを特徴とする。
【考案の効果】
【００１５】
本考案によれば、カードホルダーであって、カードケースが、折り曲げ可能な第１の折り曲げ部を備え、当該第１の折り曲げ部に沿って第１の穴が形成されると共に、第１の折り曲げ部の端部には第１の溝部が形成され、カバー部が、折り曲げ可能な第２の折り曲げ部を備え、当該第２の折り曲げ部に沿って第２の穴が形成されると共に、第２の折り曲げ部の端部には第２の溝部が形成され、第１の穴と第２の穴が、カードケースをカバー部にセットした場合に重なる位置に設けられ、紐部が、第１の穴及び第２の穴を貫通するループを形成するよう通されて、第１の溝及び第２の溝部にかけられてループ内を通されて固定されるものとしているので、カードケースが穴だけでなく溝部でも紐部で固定されるため、カードケースとカバー部の折り曲げ部で一体となり、全体としてしっかり固定できる効果がある。
【図面の簡単な説明】
【００１６】
【図１】本カードホルダーの開いた状態の概略図である。
【図２】（ａ）が閉じた状態の平面図であり、（ｂ）が閉じた状態の側面図である。
【図３】本カードホルダーのセット内容を示す概略図である。
【図４】紐部の留め方を示す概略図である。
【図５】別のカードホルダーの開いた状態の概略図である。
【図６】別のカードホルダーの閉じた状態の概略図である。
【考案を実施するための形態】
【００１７】
本考案の実施の形態について図面を参照しながら説明する。
［実施の形態の概要］
本考案の実施の形態に係るカードホルダーは、カードを収納するポケットを複数備えるカードケースと、それを覆うカバー部と、それらを固定する紐部とを有するカードホルダーであって、カードケースが、折り曲げ可能な第１の折り曲げ部に沿って第１の穴が形成されると共に、第１の折り曲げ部の端部には第１の溝部が形成され、カバー部が、折り曲げ可能な第２の折り曲げ部に沿って第２の穴が形成されると共に、第２の折り曲げ部の端部には第２の溝部が形成され、第１の穴と第２の穴が、カードケースをカバー部にセットした場合に重なり、紐部が、第１，第２の穴を貫通するループを形成するよう通されて、第１，第２の溝部にかけられて、更にループ内を通されて固定されるものであり、これにより、カードケースが穴だけでなく溝部でも紐部で固定されるため、カードケースとカバー部の折り曲げ部で一体となり、全体としてしっかり固定できるものである。
【００１８】
［本カードホルダーの開いた状態：図１］
本考案の実施の形態に係るカードホルダー（本カードホルダー）について図１を参照しながら説明する。図１は、本カードホルダーの開いた状態の概略図である。
本カードホルダーは、図１に示すように、カードケース１ａ，１ｂと、スライダーポーチ２と、カバー部３と、紐部４とを基本的に備えている。以下、カードケース１ａ，１ｂ等を総称して「カードケース１」と記載することがある。
【００１９】
カードケース１ａ，１ｂは、中央部分が折り曲げ可能な構成となっており、中央部分に２箇所の穴が形成されて、上下の端部には溝部が形成されている。カードケース１ａ，１ｂの詳細な構成は後述する。
【００２０】
スライダーポーチ２は、中央部分が折り曲げ可能な構成となっており、中央部分に２箇所の穴が形成されて、上下の端部には溝部が形成されている。
そして、スライダーポーチ２は、右側の面にスライダー２４を備える収納部を有している。スライダーポーチ２の詳細な構成は後述する。
【００２１】
カバー部３は、中央部分が折り曲げ可能な折り曲げ部を有する構成となっており、中央部分に２箇所の穴が形成されて、上下の端部には溝部が形成されている。
そして、カバー部３は、右側の面の端部に折り返し部３５を備え、カバー部３を閉じた状態で、折り返し部３５で折り返すと、左側の面に形成されたボタンと折り返し部３５に形成されたボタン３６とが接合する。カバー部３の詳細な構成は後述する。
【００２２】
紐部４は、内側下方から穴に挿入して背面側に露出するループを形成し、上側の溝部に引っ掛けて外側の面（カバー部の背面）を上から下に向けて伸ばして２箇所のループを通した後に、下向きに引っ張ることによって、ループが締まり、下側の溝部で結ぶことでしっかり固定されるものである。
紐部４は、伸縮するゴム紐を想定しているが、伸縮性のない紐であってもよい。紐部４の結び方については後述する。
【００２３】
［本カードホルダーの閉じた状態：図２］
本カードホルダーの閉じた状態について図２を参照しながら説明する。図２は、（ａ）が閉じた状態の平面図であり、（ｂ）が閉じた状態の側面図である。
本カードホルダーは、図２（ａ）に示すように、カバー部３の折り返し部３５が折り返されてボタン３６で固定される。
紐部４は、図２（ｂ）に示すように、カードケース１の折り曲げ部の内側と、カバー部３の折り曲げ部の外側に取り付けられる。
【００２４】
［本カードホルダーのセット内容：図３］
次に、本カードホルダーのセット内容について図３を参照しながら説明する。図３は、本カードホルダーのセット内容を示す概略図である。図３において、（ａ）がカードケース１を示し、（ｂ）がスライダーポーチ２を示し、（ｃ）がカバー部３を示している。
【００２５】
［カードケース１：図３（ａ）］
カードケース１は、複数のカードを収納するポケットを備え、図３（ａ）では、カードケース１ａ，１ｂ，１ｃの３枚を有している。
カードケースは、中央に設けられた折り曲げ部を挟んで、左右の面にそれぞれ３枚ずつカードを収納するポケットを備えている。ポケットは、表裏の両面に設けられ、合計１２枚のカードを収納可能としている。
【００２６】
そして、カードケース１ａには、折り曲げ可能な折り曲げ部（請求項では第１の折り曲げ部）を有し、その折り曲げ部に沿って、中央部には穴１２ａ，１２ｂ（請求項では第１の穴）を備え、折り曲げ部の端部では凹形状の溝部１１ａ，１１ｂ（請求項では第１の溝部）が形成されている。
【００２７】
ポケットは、折り曲げ部側からカードを挿入する構成で、カードの離脱を防止している。
また、溝部１１ａ，１１ｂは、紐部４が納まる程度の幅を備えている。
また、穴１２ａ，１２ｂは、カバー部３の内側から外側に紐部４を通し、背面側でループを形成して、再び内側に戻すために、紐部４が２本入る程度の大きさとなっている。
【００２８】
［スライダーポーチ２：図３（ｂ）］
スライダーポーチ２は、図３（ｂ）に示すように、カードケース１と同様に、折り曲げ可能な折り曲げ部（請求項では第３の折り曲げ部）の位置に穴２２ａ，２２ｂ（請求項では第３の穴）が形成され、同様に溝部２１ａ，２１ｂ（請求項では第３の溝部）が形成されている。
また、スライダーポーチ２は、右側面にポーチとして小物を収納できる収納部２３が形成され、端辺にスライダーで開閉するスライドファスナー２４が取り付けられている。
また、スライダーポーチ２は、左側に差し込みポケット２５が形成され、中央側から書類等を挿入できる構成となっている。
【００２９】
［カバー部３：図３（ｃ）］
カバー部３は、図３（ｃ）に示すように、折り曲げ可能な折り曲げ部（請求項では第２の折り曲げ部）の位置にカードケース１、スライダーポーチ２と同様に、穴３２ａ，３２ｂ（請求項では第２の穴）が形成され、また、同様に溝部３１ａ，３１ｂ（請求項では第２の溝部）が形成されている。
【００３０】
また、カバー部３は、右側の面３３において、折り返し部３５に接続する部分に、折り曲げ部に並行に別の折り曲げ部３４が形成されている。折り返し部３５には、ボタン（メスボタン）３６が取り付けられている。
また、カバー部３は、左側の面にはコーナーポケット３７が形成され、紙片を挟むことができるようになっている。
【００３１】
カバー部３は、左右の面が閉じた状態になると、別の折り曲げ部３４が内側に折り曲がり、折り返し部３５が左側の面における外側の面に接触して、その外側の面に形成されたボタン（オスボタン）と結合するようになっている。オスボタンについては、図示を省略している。
【００３２】
カバー部３に、折り曲げ部が一致するように、スライダーポーチ２、カードケース１ｃ，１ｂ，１ａを重ねると、穴の位置、溝部の位置が一致するように重なっており、重なった穴と溝部に紐部４を通すようになっている。
【００３３】
［紐部４：図４］
紐部４の留め方について図４を参照しながら説明する。図４は、紐部の留め方を示す概略図である。
図４に示すように、内側面の下側から紐部４を引き上げて、カバー部３、スライダーポーチ２、カードケース１が重なった状態で、穴１２ｂ、穴２２ｂ、穴３２ｂを通して外側面に突出するようにループ形状を形成し、更に内側面から上に引き上げて穴１２ａ、穴２２ａ、穴３２ａを通して同様にループ形状を形成し、更に内側面から上に引き上げて溝部１１ａ、溝部２１ａ、溝部３１ａに引っ掛けて外側面で２つのループを通して引き下げ、溝部１１ｂ、溝部２１ｂ、溝部３１ｂに引っ掛けて結んで固定する。
この固定する部分に、紐留めストッパー（請求項では係止部）を用いてもよい。
【００３４】
尚、上記説明では、内側面の下から上方向に這わせて、更に上側の溝部を折り返して外側面の上から下方向に紐部４を通すように説明したが、内側面の上から下方向に這わせて、更に下側の溝部を折り返して外側面の下から上方向に紐部４を通す構成であってもよい。
また、外側面にループを形成するのではなく、内側面にループ形状が突出するようにして紐部４をそのループに通す構成としてもよい。
【００３５】
［別のカードホルダー：図５、図６］
次に、本考案の実施の形態に係る別のカードホルダー（別のカードホルダー）について図５，６を参照しながら説明する。図５は、別のカードホルダーの開いた状態の概略図であり、図６は、別のカードホルダーの閉じた状態の概略図である。
別のカードホルダーは、別のカバー部５が折り曲げ部を除く外周部分にラウンドファスナーを備え、ラウンドファスナーを用いて開閉を行うものとなっている。
また、別のカバー部５は、本カードホルダーのカバー部３と同様に、溝部５１ａ，５１ｂと穴５２ａ，５２ｂを備え、カードケース１やスライダーポーチ２の溝部や穴と重なる構成となっている。
【００３６】
［別のカードホルダーの開いた状態：図５］
図５に示すように、別のカバー部５は、外周部分にはラウンドファスナーが形成されている。ラウンドファスナーは、スライダー５３を操作して開閉するもので、開状態でカバー部５を開くと図５の構成になるものである。
図５では、カードケース１ａ，１ｂの２枚を挟み込んだが、３枚としてもよいし、スライダーポーチ２を挟み込んでもよい。カードケース１とスライダーポーチ２の構成は、本カードケースと同様である。
【００３７】
［別のカードホルダーの閉じた状態：図６］
別のカードホルダーの閉じた状態は、図６に示すように、外周部分についてスライダー５３を移動させてラウンドファスナーを閉じることにより、外周全体を隙間がないように閉じることができ、カード等が飛び出るのを完全に防止できる。本カードホルダーより、重要なカードを収納するのに適している。
また、紐部４の固定部には紐留めストッパー６（請求項では係止部）を用いている。紐留めストッパー６であれば、何度も開閉することで紐部４が緩んでも、容易に閉め直すことができる。
【００３８】
紐留めストッパー６を用いた場合、カードケース１の差し替えを頻繁に行わないのであれば、紐部４の端部に結び目を設けるようにすれば、紐留めストッパー６が紐部４から外れることがない。
また、カードケース１を頻繁に差し替えるのであれば、紐部４の端部に結び目を設けないようにした方が、差し替えが容易である。
【００３９】
［実施の形態の効果］
本カードホルダー及び別のカードホルダーによれば、カードケース１、スライダーポーチ２、カバー部３，５の折り曲げ部において、共通する位置に穴と溝部を形成し、その穴にゴム製の紐部４をループにしながら挿入して溝部に引っ掛けて裏面でループを通して固定するようになっているので、折り曲げ部の中心付近だけでなく、溝部のある両端でも固定され、折り曲げ部全体がしっかり固定されるため、カードケース１、スライダーポーチ２の端部がずれることがなく、使い勝手を向上させることができる効果がある。
【産業上の利用可能性】
【００４０】
本考案は、複数のポケットを有するカードケースの複数を全体として安定して固定できるカードホルダーに適している。
【符号の説明】
【００４１】
１，１ａ，１ｂ，１ｃ…カードケース、  ２…スライダーポーチ、  ３…カバー部、  ４…紐部、  ５…別のカバー部、  ６…紐留めストッパー、  １１ａ，１１ｂ，２１ａ，２１ｂ，３１ａ，３１ｂ，５１ａ，５１ｂ…溝部、  １２ａ，１２ｂ，２２ａ，２２ｂ，３２ａ．３２ｂ，５２ａ，５２ｂ…穴、  ２３…収納部、  ２４…スライダー、  ２５…ポケット、  ３３…右側の面、  ３４…別の折り曲げ部、  ３５…折り返し部、  ３６…ボタン、  ３７…コーナーポケット、  ５３…スライダー
【図１】
0003212750.tif 000003
【図２】
0003212750.tif 000004
【図３】
0003212750.tif 000005
【図４】
0003212750.tif 000006
【図５】
0003212750.tif 000007
【図６】
0003212750.tif 000008